(57)【要約】【課題】カード錠の利点を最大限に生かし、かつ、大規模イベント等にも使用可能なロッカー装置の提供を目的とする。【解決手段】荷物収容室１が形成されるロッカー筐体２と、  荷物収容室１の開口を開放操作可能に閉塞する扉体３と、  ロッカー筐体２に係脱する施錠体４を施錠状態においてロッカー筐体２への係止位置に拘束し、着脱自在に装着されたコード形成カード５に適合するキーカード６により解錠操作されて施錠体４のロッカー筐体２との係止を解除するカード錠装置７とを有し、  前記カード錠装置７は、扉体３裏面に固定されて表面が扉体３により覆われるとともに、扉体３には、カード錠装置７のカード挿入部８に連通するカード挿入スリット９が開設され、  かつ、扉体３には、前記カード錠装置７の施錠体４を手動で係止解除位置に強制移行させる補助錠装置１０を固定する。【選択図】  図２
2009114633.tif 000002
【特許請求の範囲】
【請求項１】
荷物収容室が形成されるロッカー筐体と、
荷物収容室の開口を開放操作可能に閉塞する扉体と、
ロッカー筐体に係脱する施錠体を施錠状態においてロッカー筐体への係止位置に拘束し、着脱自在に装着されたコード形成カードに適合するキーカードにより解錠操作されて施錠体のロッカー筐体との係止を解除するカード錠装置とを有し、
前記カード錠装置は、扉体裏面に固定されて表面が扉体により覆われるとともに、扉体には、カード錠装置のカード挿入部に連通するカード挿入スリットが開設され、
かつ、扉体には、前記カード錠装置の施錠体を手動で係止解除位置に強制移行させる補助錠装置が固定されるロッカー装置。
【請求項２】
前記カード錠装置は、真正なキーカードにより駆動され、係止位置側に付勢される施錠体を係止解除位置側に移動させる施錠体駆動部を錠ケースに保持して形成されるとともに、施錠体の錠ケースからの突出部には干渉ピンが立設され、
前記補助錠装置は、解錠操作に伴って干渉ピンを押圧して施錠体を係止解除位置に移動させるレバーを備えたシリンダ錠により形成される請求項１記載のロッカー装置。
【請求項３】
前記ロッカー筐体内に複数の荷物収容室が形成されるとともに、
各扉体に固定される補助錠装置の解錠コードが共通である請求項１または２記載のロッカー装置。
【請求項４】
前記扉体には開扉方向の付勢力が付与されるとともに、扉体表面は全面にわたって、該扉体に開放操作力を付与する際の引っかけ代となる凹凸が存在しない平坦面により形成され、
かつ、扉体は、少なくとも開閉端縁壁、およびこれに直交する側壁がロッカー筐体に形成される額縁部に包囲される請求項１、２または３記載のロッカー装置。
【発明の詳細な説明】
【技術分野】
【０００１】
本発明は、ロッカー装置に関するものである。
【背景技術】
【０００２】
カード錠を使用したロッカー装置としては、特許文献１に記載のものが知られている。この従来例において、カード錠は、ロッカーの枠体に係止するロック板を操作するシリンダ錠と、ロック板の動作を規制してシリンダ錠による施解錠操作を規制するストッパー部と、キーカードの挿入によりストッパ部によるロック板の拘束を解除する解除機構を有する。
【０００３】
ロッカーの使用に際し、まず、予め配布されたキーカードをカード錠に挿入すると、ロック板の拘束が解除されてシリンダ錠を使用した施解錠操作が可能になる。ロッカー内に荷物を収容した後、シリンダ錠を施錠してシリンダ錠を操作するための解錠キーを引き抜くと、利用者以外による解錠操作が不能となる。施設等を利用して再びロッカーを開放するには、まず、解錠キーを使用してロッカーを開き、次いで、上記キーカードを抜いて初期状態に復帰させる。
【０００４】
しかし、上述した従来例において、ロッカー利用者は、ロッカー利用時にシリンダ錠の解錠キーを所持するために、解錠キーの紛失することがあり、紛失時には、シリンダ錠全体を交換する必要があるため、現状復帰コストが高くなるという欠点がある。
【０００５】
この問題は、例えば、特許文献２に記載のカード錠を使用することにより解決可能であるが、この場合、以下の問題がある。すなわち、特許文献２記載のカード錠は、適宜の剛性を有するコード形成カードに適応するキーカードの挿入により施錠体を解錠操作するように構成されるもので、キーカードは、例えば、合成樹脂材のプレートにより形成されるために、解錠キーに比して入手コストが低く、さらに、解錠キー紛失に伴うシリンダ錠の交換も不要なために、特許文献１に記載のものに比して現状復帰コストが低いという利点はあるものの、キーカード紛失時には、カード錠、あるいは扉を破壊する必要があるために、全体の現状復帰コストは未だ高いという欠点がある。
【０００６】
また、ロッカーが会員等、比較的少ない利用者による使用を想定する場合には、キーカード紛失の際に扉等を破壊して荷物を利用者に返却することはそれほど問題にはならないが、例えば、一般人参加の大規模イベント時での使用等を想定する場合には、キーカードの紛失が頻出する可能性がある上に、ロッカーの利用が短時間に集中することも予想され、扉等を破壊して荷物をロッカー利用者に返却する作業がイベントの円滑な運営に悪影響を与えるという問題がある。
【特許文献１】特開２００３-７４２２５号公報
【特許文献２】実用新案登録第３０９９１２１号公報
【発明の開示】
【発明が解決しようとする課題】
【０００７】
本発明は、以上の欠点を解消すべくなさればものであって、カード錠の利点を最大限に生かし、かつ、大規模イベント等にも使用可能なロッカー装置の提供を目的とする。
【課題を解決するための手段】
【０００８】
キーカード６とコード形成カード５を使用したカード錠を使用したロッカー装置は、シリンダ錠を交換することなく簡単にコード変更を行うことができるために、キーカード６紛失時における交換コストが低くなるという利点に加え、キーカード６がシリンダ錠に使用する解錠キーに比して安価で、かつ、表示面が広いために、例えば、キーカード６にイベント名称等を印刷し、イベント終了後に利用者にキーカード６を記念品として渡す等のサービスも安価に実現できるというシリンダ錠を使用する場合にはない特有の利点を有する。
【０００９】
このように、カード錠を使用したロッカー装置は、大規模イベント等への使用に適性を有しているものの、そのままでは、上述したように、キーカード６の紛失に対する対応時間等に問題がある。
【００１０】
本発明は、以上の認識の下、カード錠と非常解錠手段とを組み合わせることにより、大規模イベント等にも使用可能としたロッカー装置を提供するものである。
【００１１】
すなわち、本発明において、荷物収容室１の開口を閉塞する扉体３には、カード錠装置７と補助錠装置１０とが固定され、ロッカー利用者による扉体３の施解錠は、予め装着されるコード形成カード５に適合するキーカード６の挿入により解錠操作が可能になるカード錠装置７を使用して行われる。ロッカー利用者に渡されるキーカード６は、シリンダ錠に使用される解錠キーに比して安価なばかりは、表面積が大きなために、広告媒体としても利用できる。
【００１２】
扉体３にはカード錠装置７のカード挿入部８に連通するカード挿入スリット９が形成されており、このカード挿入スリット９から真正なキーカード６を挿入して解錠操作を行うと、ロッカー筐体２への施錠体４の係止が解除されて扉体３の開扉操作が可能になる。
【００１３】
扉体３は、板金等の金属板材、あるいは合成樹脂材により形成することができるが、カード錠装置７の表面部を扉体３により全面にわたって覆い隠すこの発明において、扉体３を適宜の板厚を有する板金等の金属板材により形成することにより、実質的にカード錠装置７を保護することが可能になり、防犯性能を高めることができる。
【００１４】
補助錠装置１０は、キーカード６を紛失する等、非常時における扉体３の開放操作を可能にするもので、解錠操作によってカード錠装置７の施錠体４を強制的に係止解除位置側に移動させることができる。補助錠装置１０による非常解錠手段を備えた本発明において、キーカード６を紛失したとしても、ロッカー管理者は補助錠装置１０を操作して簡単に開扉操作を行って荷物を利用者に返却し、さらに、コード形成カード５を差し替えて新たに運用することが可能になるために、カード錠装置７を利用する利点を最大限に発揮させることができる。
【００１５】
補助錠装置１０としては、カード錠装置７を含めて種々のものが使用できるが、比較的安価で、かつ、カード錠装置７のアクセス部と外観上異なるために、利用者の使用時におけるアクセス部の混乱を防止することができるシリンダ錠を使用することが望ましい。シリンダ錠による施錠体４の駆動は、シリンダ錠のプラグに連結されたレバー１４により施錠体４を押動させて行うことができ、施錠体４にはレバー１４の回転動作に干渉する干渉ピン１３が立設される。この干渉ピン１３を、カード錠装置７の錠ケース１２外部に配置すると、カード錠装置７の内部構造を変更することなく、シリンダ錠のレバー１４、あるいは必要により施錠体４の先端部の形状を変更するだけで、カード錠装置７とシリンダ錠との位置関係を自由に変更、設定できるために、配置の自由度が大きくなる。
【００１６】
また、ロッカー筐体２内に形成される複数の荷物収容室１を閉塞する扉体３に固定される各補助錠装置１０の解錠コードを一致させておくと、イベント運営者は、ロッカー筐体２毎、あるいは、複数のロッカー筐体２により構成されるロッカー筐体群毎に共通の解錠キー等を管理するだけで複数の扉体３の非常開放が可能になる。
【００１７】
さらに、扉体３に開扉方向の付勢力を付与しておくと、施錠体４の係止解除動作に伴って扉体３が所定角度開放されるために、扉体３に格別の把手等を設ける必要がなくなる。これを利用して、扉体３の表面を、開放操作力を付与する際の引っかけ代となる凹凸が存在しない平坦面により形成し、さらに、扉体３の少なくとも開閉端縁壁、およびこれに直交する側壁、すなわち、回転ヒンジが配置される辺縁を除く周縁をロッカー筐体２に形成される額縁部１５の壁面で包囲させると、扉体３に不正な開扉操作力を加えることができなくなるために、防犯性能がより向上する。
【発明の効果】
【００１８】
本発明によれば、カード錠装置の利点を最大限に生かし、かつ、大規模イベント等にも使用可能にすることができる。
【発明を実施するための最良の形態】
【００１９】
図１に示すように、ロッカー装置は、ロッカー筐体２に形成される荷物収容室１の開口をヒンジ３ａ周りに回転自在な扉体３により閉塞して形成される。図１には、ロッカー筐体２に１０個の荷物収容室１を２列５段に配置して形成した場合が示されている。なお、図１においては、左列上２段は、扉体３を取り外した状態が示される。
【００２０】
図１に示すように、ロッカー筐体２の左右両側板２ａ、左右列を区画する仕切板２ｂ、天板２ｃ、底板２ｄ、および上下の荷物収容室１を区画する棚板２ｅの前端縁は、図１（ｂ）、（ｃ）に示すように、折り返されて扉体３の周壁を囲む額縁部１５が形成される。扉体３の周壁と額縁部１５との間の隙間は、扉体３の回転を妨げない範囲で可及的に狭い寸法に設定され、隙間に指、工具等を挟んで扉体３に開放操作力を与えることのできないように配慮される。
【００２１】
また、棚板２ｅ、底板２ｄの額縁部１５には、扉体３を開放方向に付勢するための板バネ１６が固定され、さらに、側板２ａ、および仕切板２ｂの額縁部１５には、後述するカード錠装置７の施錠体４が進退する係止孔１７が開設される。係止孔１７には施錠体受け片１８が固定される。
【００２２】
扉体３は、適宜板厚の板金により平板状に形成され、図３（ｂ）、（ｃ）に示すように、四周縁が折り返されて剛性が保持される。この扉体３には、図２に示すように、横長のカード挿入スリット９が正面を向いて開設され、扉体３の裏面には、カード挿入スリット９の開口を後方に延長させるように、カードガイド９ａが固定される（図３（ａ）参照）。カード挿入スリット９は、図３（ｃ）に示すように、適宜幅寸法を有するキーカード６の幅寸法よりやや長寸に形成され、扉体３背面には、上記カードガイド９ａの延長線上にカード挿入部８を位置させてカード錠装置７が固定される。
【００２３】
後に詳細に説明するように、カード錠装置７は、上記係止孔１７に向けて進退する施錠体４を備えており、図３（ｂ）に示すように、扉体３が閉じた状態で施錠体４は係止孔１７に嵌合し、以後、扉体３への開放操作が規制される（施錠状態）。
【００２４】
また、カード錠装置７は、真正なキーカード６をカード挿入部８に挿入することにより、上記施錠体４を係止解除位置に駆動することができ（解錠状態）、図３（ｃ）に示すように、解錠状態において施錠体４は係止孔１７との係止が解除される。施錠体４による係止が解除されると、上述した板バネ１６により扉体３は適宜角度開放され、その後、額縁部１５から外れた扉体３の回転端を引くことにより、荷物収容室１を開放することができる。
【００２５】
さらに、上記施錠体４には、干渉ピン１３が立設されるとともに、扉体３には、補助錠装置１０としてのシリンダ錠が固定される。シリンダ錠１０は、図外の真正な解錠キーにより回転操作可能なプラグ（図示せず）の後端にレバー１４を固定して形成される。レバー１４は、解錠操作に伴う回転軌跡上に上記施錠体４の干渉ピン１３が位置するように設定される。
【００２６】
したがって、例えば、ロッカー装置の利用者がキーカード６を紛失した場合等に、ロッカー管理者がシリンダ錠１０を解錠操作すると、図２（ｃ）に示すように、レバー１４により干渉ピン１３が押され、施錠体４が解錠位置に強制駆動され、扉体３を開放することができる。この実施の形態において、全てのシリンダ錠１０の解錠コードは同一に設定されており、管理者は、どの扉体３に対しても開放操作が可能になっている。このロッカー装置が、比較的大規模なイベントに使用される場合には、ロッカー筐体２単位、あるいは設置エリアの複数のロッカー筐体２のシリンダ錠１０の解錠コードを統一しておくと、同一の解錠キーにより異なった荷物収容室１の開放が可能になるために、運営の効率を向上させることができる。
【００２７】
図４、５に上記カード錠装置７の詳細を示す。カード錠装置７は、上ブロック１２ａと下ブロック１２ｂとにより形成される錠ケース１２と、上下ブロック１２ａ、１２ｂ間に挟まれて移動自在な施錠体駆動部１１とを有する。施錠体駆動部１１の上ブロック１２ａとの境界面には、一端が上記カード挿入スリット９に連通するカード挿入部８が、中間部には、カード挿入部８のほぼ２倍の厚さ寸法を有するコードカード装着部１９が形成される。
【００２８】
一方、下ブロック１２ｂには、スプリング２０ａにより上方に付勢されるドライバピン２０ｂと、ドライバピン２０ｂを介して上方に付勢されるピンタンブラ２０ｃと、２個のボール２０ｄが積層状に配置され、上方のボール２０ｄの上端部がカード挿入部８に突出する。これらドライバピン２０ｂ、ピンタンブラ２０ｃ、および２個のボール２０ｄにより形成されるコード形成部２０は、カード挿入部８とコードカード装着部１９との重合領域のほぼ全面にわたってマトリクス状に複数対配置される。
【００２９】
このカード錠装置７の解錠コードは、コードカード装着部１９に装着された際に、上記コード形成部２０への対応部にコード形成孔５ａが開設されているか否かで決定される。例えば、図４に示すように、手前側（図４において右側）から、コード形成孔５ａ有り、コード形成孔５ａなし、コード形成孔５ａ有り、コード形成孔５ａなしのコード形成カード５が装着された状態を想定すると、この状態で、図４（ａ）に示すようにキーカード６が挿入されない状態では、一部のドライバピン２０ｂが下ブロック１２ｂと施錠体駆動部１１との摺動界面を閉塞するために、施錠体駆動部１１は錠ケース１２に対して移動することができない（施錠状態）。
【００３０】
これは、図４（ｂ）に示すように、装着されたコード形成カード５に適合しないキーカード６を挿入した場合も同様であり、図４（ｃ）に示すように、コード形成カード５に適合する真正なキーカード６を挿入した場合にのみ上記境界が開放される。この状態でキーカード６の剛性を利用して施錠体駆動部１１を押し付けると、施錠体駆動部１１は後方に移動する（解錠状態）。
【００３１】
上記施錠体駆動部１１の移動は、施錠体駆動部１１に立設される作動ピン１１ａを介して施錠体４に伝達される。図５に示すように、下ブロック１２ｂの底面には、上記作動ピン１１ａにより枢軸２１ａ周りに回動駆動されるリンク２１が配置され、図５（ｂ）に示すように、このリンク２１が回転すると、リンク２１に立設された駆動ピン２１ｂがスプリング２２により係止孔１７との係止方向に付勢された施錠体４を係止解除方向に移動させる。
【００３２】
また、上述したように、図５（ａ）に示す係止位置において、施錠体４に立設された干渉ピン１３をシリンダ錠１０のレバー１４により押圧すると、リンク２１を回転動作させることなく施錠体４のみを係止解除位置に移動させることができる。
【図面の簡単な説明】
【００３３】
【図１】本発明を示す図で、（ａ）は正面図、（ｂ）は（ａ）の１Ｂ-１Ｂ線断面図、（ｃ）は（ａ）の１Ｃ-１Ｃ線断面図である。
【図２】扉体を示す図で、（ａ）はカード挿入スリット近傍を正面から見た拡大図、（ｂ）は裏面図、（ｃ）はシリンダ錠を解錠操作した状態を示す裏面図である。
【図３】カード錠装置の動作を示す図で、（ａ）は扉体を側面から見た図、（ｂ）は施錠状態を示す図、（ｃ）は解錠状態を示す図である。
【図４】カード錠を示す図で、（ａ）はキーカード未挿入状態を示す断面図、（ｂ）は不真正キーカードを挿入した状態を示す断面図、（ｃ）は真正キーカードを挿入して解錠操作を行った状態を示す断面図である。
【図５】施錠体の動作を示す図で、（ａ）は施錠位置を示す図、（ｂ）は解錠位置を示す図である。
【符号の説明】
【００３４】
１        荷物収容室
２        ロッカー筐体
３        扉体
４        施錠体
５        コード形成カード
６        キーカード
７        カード錠装置
８        カード挿入部
９        カード挿入スリット
１０      補助錠装置
１１      施錠体駆動部
１２      錠ケース
１３      干渉ピン
１４      レバー
１５      額縁部
【図１】
2009114633.tif 000003
【図２】
2009114633.tif 000004
【図３】
2009114633.tif 000005
【図４】
2009114633.tif 000006
【図５】
2009114633.tif 000007